(57)【要約】      （修正有）【課題】ルミナスチャンネル内の高周波数に対し高感度である人間のコントラスト機能を使用する画像依存型黒生成システム及び方法を提供する。【解決手段】２つのグレー成分置換ルックアップテーブルが生成され、黒顔料量で占められる。デジタル画像は、次に、高空間周波数を有する領域と通常の分布を有する領域の２つの異なる領域に分割される。画像の高周波数部分内の画素位置に対応するメタデータマップが次に生成される。各画素グループは次にグレー成分置換のため必要な黒顔料の量を決めるためフィルタ処理される。フィルタ処理されている画素グループがメタデータマップにあるとき、第１のルックアップテーブルが使用され、必要な顔料の量は新しい黒チャンネル内のルックアップテーブルに追加される。画素グループが通常の分布を有する領域に属するとき、顔料の量が第２のルックアップテーブル内の同じ黒チャンネルに書き込まれる。【選択図】図２
2006094524.tif 000002
【特許請求の範囲】
【請求項１】
第１の色空間符号化デジタル画像ファイルを第１及び第２のグレー成分置換スキームが内部に定められたグレー成分置換手段に受信するため適合した手段と、
前記第１の色空間符号化デジタル画像ファイルを、第１の定義済みの空間周波数レンジを有する画像データが関連付けられた第１の画像ファイルセグメントと、前記第１の空間周波数レンジとは独立に定義された第２の空間周波数レンジを有する画像データが関連付けられた第２の画像ファイルセグメントとに分割するため適合した分割手段と、
前記第１の画像ファイルセグメントを前記第１のグレー成分置換スキームへ通信するため適合した手段と、
前記第２の画像ファイルセグメントを前記第２のグレー成分置換スキームへ通信するため適合した手段と、
前記グレー成分置換手段の出力に応じて第２の色空間符号化デジタル画像ファイルを出力するため適合した手段と、
を備える、第１の色空間から第２の色空間への色変換におけるグレー成分置換システム。
【請求項２】
前記第１のグレー成分置換スキームは第１の置換値の組で占められた第１のルックアップテーブルを利用し、
前記第２のグレー成分置換スキームは第２の置換値の組で占められた第２のルックアップテーブルを利用する、
請求項１に記載の第１の色空間から第２の色空間への色変換におけるグレー成分置換システム。
【請求項３】
関連付けられた前記第２の色空間符号化デジタル画像ファイルを出力する前に、前記第１の色空間デジタル画像ファイルと前記第２の色空間デジタル画像ファイルの少なくとも一方から中性成分を表現するデータを選択的に除去するため適合した手段をさらに備える、請求項２に記載の第１の色空間から第２の色空間への色変換におけるグレー成分置換システム。
【請求項４】
前記グレー成分置換手段が少なくとも第３のグレー成分置換スキームを含み、
前記分割手段は、他の全ての空間周波数レンジに対して固有の空間周波数レンジに応じて、前記第１の色空間符号化デジタル画像ファイルを、前記第３のグレー成分置換スキームへ通信される少なくも第３の画像ファイルセグメントに分割するため適合した手段を含む、
請求項３に記載の第１の色空間から第２の色空間への色変換におけるグレー成分置換システム。
【請求項５】
前記第２の色空間は黒成分を含む、請求項１に記載の第１の色空間から第２の色空間への色変換におけるグレー成分置換システム。
【請求項６】
前記第１の色空間はシアン−マゼンタ−黄の色空間であり、
前記第２の色空間はシアン−マゼンタ−黄−黒の色空間である、
請求項１に記載の第１の色空間から第２の色空間への色変換におけるグレー成分置換システム。
【請求項７】
前記第１の色空間画像の複数の画素のそれぞれを前記第１の画像ファイルセグメントと前記第２の画像ファイルセグメントの一方と関連付けるため適合した手段と、
前記第１の画像ファイルセグメントと前記第２の画像ファイルセグメントの一方との関連性に基づいて前記複数の画素グループをフィルタリングするため適合した手段と、
をさらに備える、請求項１に記載の第１の色空間から第２の色空間への色変換におけるグレー成分置換システム。
【請求項８】
前記第１のグレー成分置換スキームと前記第２のグレー成分置換スキームのそれぞれにおけるグレー成分置換のため必要な黒顔料の量を決定するため適合した手段をさらに備える、請求項７に記載の第１の色空間から第２の色空間への色変換におけるグレー成分置換システム。
【請求項９】
第１の色空間符号化デジタル画像ファイルを第１及び第２のグレー成分置換スキームが内部に定められたグレー成分置換手段に受信するステップと、
前記第１の色空間符号化デジタル画像ファイルを、第１の定義済みの空間周波数レンジを有する画像データが関連付けられた第１の画像ファイルセグメントと、前記第１の空間周波数レンジとは独立に定義された第２の空間周波数レンジを有する画像データが関連付けられた第２の画像ファイルセグメントとに分割するステップと、
前記第１の画像ファイルセグメントを前記第１のグレー成分置換スキームへ通信するステップと、
前記第２の画像ファイルセグメントを前記第２のグレー成分置換スキームへ通信するステップと、
前記グレー成分置換手段の出力に応じて第２の色空間符号化デジタル画像ファイルを出力するステップと、
を含む、第１の色空間から第２の色空間への色変換におけるグレー成分置換方法。
【請求項１０】
前記第１のグレー成分置換スキームは第１の置換値の組で占められた第１のルックアップテーブルを利用し、
前記第２のグレー成分置換スキームは第２の置換値の組で占められた第２のルックアップテーブルを利用する、
請求項９に記載の第１の色空間から第２の色空間への色変換におけるグレー成分置換方法。
【請求項１１】
関連付けられた前記第２の色空間符号化デジタル画像ファイルを出力する前に、前記第１の色空間デジタル画像ファイルと前記第２の色空間デジタル画像ファイルの少なくとも一方から中性成分を表現するデータを選択的に除去するステップをさらに含む、請求項１０に記載の第１の色空間から第２の色空間への色変換におけるグレー成分置換方法。
【請求項１２】
前記グレー成分置換手段は少なくとも第３のグレー成分置換スキームを含み、
前記第１の色空間符号化デジタル信号を分割するステップが、他の全ての空間周波数レンジに対して固有の空間周波数レンジに応じて、前記第１の色空間符号化デジタル画像ファイルを、前記第３のグレー成分置換スキームへ通信される少なくも第３の画像ファイルセグメントに分割するステップをさらに含む、
請求項１１に記載の第１の色空間から第２の色空間への色変換におけるグレー成分置換方法。
【請求項１３】
前記第２の色空間は黒成分を含む、請求項９に記載の第１の色空間から第２の色空間への色変換におけるグレー成分置換方法。
【請求項１４】
前記第１の色空間はシアン−マゼンタ−黄の色空間であり、
前記第２の色空間はシアン−マゼンタ−黄−黒の色空間である、
請求項９に記載の第１の色空間から第２の色空間への色変換におけるグレー成分置換方法。
【請求項１５】
前記第１の色空間画像の複数の画素のそれぞれを前記第１の画像ファイルセグメントと前記第２の画像ファイルセグメントの一方と関連付けるステップと、
前記第１の画像ファイルセグメントと前記第２の画像ファイルセグメントの一方との関連性に基づいて前記複数の画素グループをフィルタリングするステップと、
をさらに含む、請求項９に記載の第１の色空間から第２の色空間への色変換におけるグレー成分置換方法。
【請求項１６】
前記第１のグレー成分置換スキームと前記第２のグレー成分置換スキームのそれぞれにおけるグレー成分置換のため必要な黒顔料の量を決定するステップをさらに含む、請求項１５に記載の第１の色空間から第２の色空間への色変換におけるグレー成分置換方法。
【請求項１７】
第１の色空間符号化デジタル画像ファイルを第１及び第２のグレー成分置換スキームが内部に定められたグレー成分置換手段に受信する命令と、
前記第１の色空間符号化デジタル画像ファイルを、第１の定義済みの空間周波数レンジを有する画像データが関連付けられた第１の画像ファイルセグメントと、前記第１の空間周波数レンジとは独立に定義された第２の空間周波数レンジを有する画像データが関連付けられた第２の画像ファイルセグメントとに分割する命令と、
前記第１の画像ファイルセグメントを前記第１のグレー成分置換スキームへ通信する命令と、
前記第２の画像ファイルセグメントを前記第２のグレー成分置換スキームへ通信する命令と、
前記グレー成分置換手段の出力に応じて第２の色空間符号化デジタル画像ファイルを出力する命令と、
を含む、第１の色空間から第２の色空間への色変換におけるグレー成分置換の命令のコンピュータ読み取り可能な媒体。
【請求項１８】
前記第１のグレー成分置換スキームは第１の置換値の組で占められた第１のルックアップテーブルを利用し、
前記第２のグレー成分置換スキームは第２の置換値の組で占められた第２のルックアップテーブルを利用する、
請求項１７に記載の第１の色空間から第２の色空間への色変換におけるグレー成分置換の命令のコンピュータ読み取り可能な媒体。
【請求項１９】
関連付けられた前記第２の色空間符号化デジタル画像ファイルを出力する前に、前記第１の色空間デジタル画像ファイルと前記第２の色空間デジタル画像ファイルの少なくとも一方から中性成分を表現するデータを選択的に除去する命令をさらに含む、請求項１８に記載の第１の色空間から第２の色空間への色変換におけるグレー成分置換の命令のコンピュータ読み取り可能な媒体。
【請求項２０】
前記グレー成分置換手段は少なくとも第３のグレー成分置換スキームを含み、
前記第１の色空間符号化デジタル信号を分割する命令は、他の全ての空間周波数レンジに対して固有の空間周波数レンジに応じて、前記第１の色空間符号化デジタル画像ファイルを、前記第３のグレー成分置換スキームへ通信される少なくも第３の画像ファイルセグメントに分割する命令をさらに含む、
請求項１９に記載の第１の色空間から第２の色空間への色変換におけるグレー成分置換の命令のコンピュータ読み取り可能な媒体。
【請求項２１】
前記第２の色空間は黒成分を含む、請求項１７に記載の第１の色空間から第２の色空間への色変換におけるグレー成分置換の命令のコンピュータ読み取り可能な媒体。
【請求項２２】
前記第１の色空間はシアン−マゼンタ−黄の色空間であり、
前記第２の色空間はシアン−マゼンタ−黄−黒の色空間である、
請求項１７に記載の第１の色空間から第２の色空間への色変換におけるグレー成分置換の命令のコンピュータ読み取り可能な媒体。
【請求項２３】
前記第１の色空間画像の複数の画素のそれぞれを前記第１の画像ファイルセグメントと前記第２の画像ファイルセグメントの一方と関連付ける命令と、
前記第１の画像ファイルセグメントと前記第２の画像ファイルセグメントの一方との関連性に基づいて前記複数の画素グループをフィルタリングする命令と、
をさらに含む、請求項１７に記載の第１の色空間から第２の色空間への色変換におけるグレー成分置換の命令のコンピュータ読み取り可能な媒体。
【請求項２４】
前記第１のグレー成分置換スキームと前記第２のグレー成分置換スキームのそれぞれにおけるグレー成分置換のため必要な黒顔料の量を決定する命令をさらに含む、請求項２３に記載の第１の色空間から第２の色空間への色変換におけるグレー成分置換の命令のコンピュータ読み取り可能な媒体。
【請求項２５】
第１の色空間符号化デジタル画像ファイルを第１及び第２のグレー成分置換スキームが内部に定められたグレー成分置換手段に受信するステップと、
前記第１の色空間符号化デジタル画像ファイルを、第１の定義済みの空間周波数レンジを有する画像データが関連付けられた第１の画像ファイルセグメントと、前記第１の空間周波数レンジとは独立に定義された第２の空間周波数レンジを有する画像データが関連付けられた第２の画像ファイルセグメントとに分割するステップと、
前記第１の画像ファイルセグメントを前記第１のグレー成分置換スキームへ通信するステップと、
前記第２の画像ファイルセグメントを前記第２のグレー成分置換スキームへ通信するステップと、
前記グレー成分置換手段の出力に応じて第２の色空間符号化デジタル画像ファイルを出力するステップと、
を含む、コンピュータで実施される第１の色空間から第２の色空間への色変換におけるグレー成分置換方法。
【請求項２６】
前記第１のグレー成分置換スキームは第１の置換値の組で占められた第１のルックアップテーブルを利用し、
前記第２のグレー成分置換スキームは第２の置換値の組で占められた第２のルックアップテーブルを利用する、
請求項２５に記載のコンピュータで実施される第１の色空間から第２の色空間への色変換におけるグレー成分置換方法。
【請求項２７】
関連付けられた前記第２の色空間符号化デジタル画像ファイルを出力する前に、前記第１の色空間デジタル画像ファイルと前記第２の色空間デジタル画像ファイルの少なくとも一方から中性成分を表現するデータを選択的に除去するステップをさらに含む、請求項２６に記載のコンピュータで実施される第１の色空間から第２の色空間への色変換におけるグレー成分置換方法。
【請求項２８】
前記グレー成分置換手段は少なくとも第３のグレー成分置換スキームを含み、
前記第１の色空間符号化デジタル信号を分割するステップが、他の全ての空間周波数レンジに対して固有の空間周波数レンジに応じて、前記第１の色空間符号化デジタル画像ファイルを、前記第３のグレー成分置換スキームへ通信される少なくも第３の画像ファイルセグメントに分割するステップをさらに含む、
請求項２７に記載のコンピュータで実施される第１の色空間から第２の色空間への色変換におけるグレー成分置換方法。
【請求項２９】
前記第２の色空間は黒成分を含む、請求項２５に記載のコンピュータで実施される第１の色空間から第２の色空間への色変換におけるグレー成分置換方法。
【請求項３０】
前記第１の色空間はシアン−マゼンタ−黄の色空間であり、
前記第２の色空間はシアン−マゼンタ−黄−黒の色空間である、
請求項２５に記載のコンピュータで実施される第１の色空間から第２の色空間への色変換におけるグレー成分置換方法。
【請求項３１】
前記第１の色空間画像の複数の画素のそれぞれを前記第１の画像ファイルセグメントと前記第２の画像ファイルセグメントの一方と関連付けるステップと、
前記第１の画像ファイルセグメントと前記第２の画像ファイルセグメントの一方との関連性に基づいて前記複数の画素グループをフィルタリングするステップと、
をさらに含む、請求項２５に記載のコンピュータで実施される第１の色空間から第２の色空間への色変換におけるグレー成分置換方法。
【請求項３２】
前記第１のグレー成分置換スキームと前記第２のグレー成分置換スキームのそれぞれにおけるグレー成分置換のため必要な黒顔料の量を決定するステップをさらに含む、請求項３１に記載のコンピュータで実施される第１の色空間から第２の色空間への色変換におけるグレー成分置換方法。
【発明の詳細な説明】
【技術分野】
【０００１】
本発明は色空間変換におけるグレー成分置換のシステム及び方法に関する。より詳細には、本発明は、第１の色空間内のグレー成分の第２の色空間への置換を使用して色空間変換中にデジタル画像のハイライトエリア内のディテールの認識を高めるシステム及び方法に関する。
【背景技術】
【０００２】
色空間は、一般的に３次元マップとして表現された色の特別なモデルである。国際カラーコンソーシアムのプロファイルフォーマットは、ＣＩＥＸＹＺ、ＲＧＢ及びＣＭＹの３つの基本ファミリーに分割される多種多様な色空間をサポートする。ＣＩＥＸＹＺの部分集合もまたコネクションスペースとして定義されることに注意すべきである。ＣＩＥＬＡＢ、又は、「ＣＩＥＬ＊ａ＊ｂ＊」色は、視覚的な色空間内で色の正確な３次元位置を記述するため３個の値を使用する色空間にその名前が由来し、ＣＩＥはカラーサイエンティストの国際的な組織である国際照明委員会を表し、その規格は色情報を正確に伝達することが可能であり、「Ｌ＊」は相対的な明度を記述し、「ａ＊」は相対的な赤から緑の量を表し、「ｂ＊」は相対的な黄から青の量を表す。ＣＩＥＸＹＺ構造は、指定された色空間内の特定の色のｘ、ｙ及びｚ座標を格納する。
【０００３】
二次色シアン、マゼンタ、黄及び黒のそれぞれの量の観点から各色を記述する色モデルは、一般にＣＭＹＫ色モデルと呼ばれる。ＣＭＹＫ系は印刷のため使用される。顔料を混合するためには、加法的ではなく減法的に混合する二次色を使用する方が良い。明るさ、シアン、マゼンタ及び黄の二次色は顔料の原色（青、緑及び黄）に対応する。さらに、黒はこれらの３色を同じ割合で混合することにより得られるが、４色印刷では、黒は典型的に別個の顔料として使用される。ＣＭＹＫにおけるＫは、ＲＧＢ（赤、緑、青）におけるＢと混同を生じることがないように、「キー（ｋｅｙ）」又は「ｂｌａｃｋ」のｋを表す。
【０００４】
当技術分野で知られているように、２つの色モデル間の違いは、色がどのように生成されるかに基づいている。赤、緑、及び青は投影光であり、シアン、マゼンタ、黄、及び黒は反射光である。様々な量の赤、緑及び青を組み合わせることにより、色のスペクトルが忠実に作成される。赤、緑及び青の量を変えることにより、像がモニタ又はテレビジョン画面の蛍光体に投影される。しかし、用紙に添加された顔料は、連続的に、用紙を暗くする。選択的な光色を使用することにより、白紙の上にスペクトルが再現される。このようにして、シアンは赤を吸収し、マゼンタは緑を吸収し、黄は青を吸収する。これらは、減法混色の原色、又は、二次色と呼ばれる。シアン、マゼンタ及び黄は明るいので、黒がグレー成分のため使用される。ＣＹＭＫを使用することは一般に４色処理と呼ばれる。
【０００５】
ＣＭＹＫのような４色のインク色を用いてグレー値を生成するとき、シアンインク、マゼンタインク、及び黄インクの一部を黒インクで置換することにより実質的なインクの節約が達成される。シアンインク、黄インク及びマゼンタインクの一部を黒インクで置換するため２つの方法として、下色除去（ＵＣＲ）及びグレー成分置換（ＧＣＲ）が使用される。ＵＣＲを使用するとき、単一の黒インクが、画像のシャドウ部にシアン、マゼンタ、黄によって生成されたグレーのシャドウのために使用される。ＧＣＲはグレー再現に使用される黒インクの量を増加し、同時に、消費されるシアンインク、マゼンタインク及び黄インクの量を削減する。ＧＣＲは、画像のあらゆる部分におけるシアン、マゼンタ及び黄の同等の成分の代わりに黒を使用する。この１対３置換の使用によって、画像の所定の部分のインク消費の２／３が削減される。インク使用量の削減は、全体的にインク被覆率を減少させ、グレーバランスを簡単化し、実行安定性及び色一致性を高め、印刷を高速化する。
【０００６】
典型的なＧＣＲプロセスは、シアン−マゼンタ−黄（ＣＭＹ）色の中性成分を比例した量の黒（Ｋ）で置き換える。ＣＭＹＫへの変換のため選択されたＣＭＹの組み合わせは、３色組み合わせの範囲内でのグレーの量の関数に基づく。シアンインク、黄インク、マゼンタインクの黒インクによる置換を規定する現行のＧＣＲアルゴリズムは画像に限定されない。したがって、ＣＭＹからＣＭＹＫへの色変換の際に、高空間周波数を含む中性軸近傍のハイライトエリア、すなわち、ＣＩＥＬ＊ａ＊ｂ＊のＬは、普通には処理されず、すなわち、黒インクで置換される。
【発明の開示】
【発明が解決しようとする課題】
【０００７】
したがって、色変換処理におけるハイライトエリアのグレー成分置換システム及び方法の必要性がある。
【課題を解決するための手段】
【０００８】
本発明は、第１の色空間内のグレー成分の第２の色空間への置換を使用して色空間変換中にデジタル画像のハイライトエリア内のディテールの認識を高める方法及びシステムを対象にする。
【０００９】
本発明によれば、第１の色空間から第２の色空間への色変換におけるグレー成分置換システムが提供される。このシステムは、第１の色空間画像をグレー成分置換手段に受信するため適合した手段を含む。グレー成分置換手段は、第１及び第２のグレー成分置換スキームを含む。システムは第１の色空間画像を２つの画像ファイルセグメントに分割するため適合した分割手段をさらに含む。第１のファイルセグメントは第１の定義済みの空間周波数レンジが関連付けられ、第２のファイルセグメントは、第１の周波数レンジから独立した第２の空間周波数レンジが関連付けられる。第１の画像ファイルセグメントは、通信手段を介して、第１のグレー成分置換スキームへ通信される。第２のファイルセグメントは、通信手段を介して、第２のグレー成分置換スキームへ通信される。システムは、第１及び第２の置換スキームからの出力に応じて第２の色空間画像を出力するため適合した手段をさらに含む。
【００１０】
一実施形態では、システムは、第１の置換スキームに対応した第１のルックアップテーブルと、第２の置換スキームに対応した第２のルックアップテーブルを使用する。第１のルックアップテーブルは第１の置換値の組によって占められる。第２の置換スキームは第２の置換値の組で占められた第２のルックアップテーブルを使用する。別の実施形態では、システムは、関連付けられた第２の色空間で符号化されたデジタル画像ファイルを出力する前に、第１の色空間又は第２の色空間デジタル画像ファイルから中性成分を表現するデータを選択的に除去するため適合した手段をさらに含む。
【００１１】
さらに、本発明によれば、第１の色空間から第２の色空間への色変換におけるグレー成分置換方法が提供される。この方法は、第１の色空間で符号化されたデジタル画像ファイルを、第１及び第２のグレー成分置換スキームを備えるグレー成分置換手段に受信するステップを含む。この方法は、第１の色空間画像ファイルを２つの画像ファイルセグメントに分割するステップをさらに含み、第１の画像ファイルセグメントは第１の空間周波数を有する画像データと関連付けられる。第２の画像ファイルセグメントは、第１の空間周波数とは異なる第２の空間周波数を有する画像データと関連付けられる。続いて、第１の画像ファイルセグメントは第１のグレー成分置換スキームへ通信され、第２の画像ファイルセグメントは第２のグレー成分置換スキームへ通信される。第２の色空間で符号化されたデジタル画像ファイルは、次に、グレー成分置換手段の出力に応じて出力される。
【００１２】
好ましい一実施形態では、第１のグレー成分置換スキームは、第１の置換値の組で占められた第１のルックアップテーブルを利用し、第２のグレー成分置換スキームは、第２の置換値の組で占められた第２のルックアップテーブルを利用する。一実施形態では、この方法は、第２の色空間で符号化されたデジタル画像ファイルを出力する前に、第１の色空間画像ファイルから中性成分データを選択的に除去するステップをさらに含む。好ましい一実施形態では、この方法は、画像の各画素に画像ファイルセグメントの１つを関連付けるステップ、画像ファイルセグメントとの関連性に基づいてグループ内の画素をフィルタリングするステップをさらに含む。
【００１３】
本発明のさらに別の効果、態様及び特徴は、本発明を実施するため最も適したベストモードの１つを単なる一例として、本発明の好ましい一実施形態が明らかにされ記載されている以下の説明から当業者に容易に理解されるであろう。当然のことながら、本発明は他の異なる実施形態が可能であり、そのいくつかの詳細は本発明の範囲から全く逸脱することなく種々の明白な態様において変更が可能である。したがって、図面及び明細書本文は、限定としてではなく本質的に例示とみなされる。
【発明を実施するための最良の形態】
【００１４】
対象発明は添付図面と併せて明らかにされるある種の部品と部品に対する処理に関して説明され、添付図面は、明細書の一部を形成するが、対象発明を限定することを目的としない。
【００１５】
本発明は色空間変換におけるグレー成分置換システム及び方法を対象にする。特に、本発明は、第１の色空間内のグレー成分を、黒成分を含む第２の色空間へ置換して色空間変換中にデジタル画像のハイライトエリア内のディテールの認識を高めるシステム及び方法を対象にする。好ましい実施形態では、明細書本文に説明されるように、第１の色空間は適切にはシアン−マゼンタ−黄の色空間であり、第２の色空間は適切にはシアン−マゼンタ−黄−黒の色空間である。当業者は、本発明の範囲を逸脱することなく、その他の色空間も同様に利用可能であることを認めるであろう。
【００１６】
次に、好ましい実施形態を発表することではなく、例示することだけを目的とした説明図が示された図面を参照する。システム１００を表す図が図１に示されている。本発明において、ユーザは文書処理装置１０２へのアクセスが可能にされる。好ましくは、文書処理装置は当技術分野で知られているような画像生成装置である。好ましくは、画像生成装置は、スキャニング装置、コピー装置、ファクシミリ装置、又は、多機能周辺装置である。より好ましくは、画像生成装置は多機能周辺装置である。適当な市販されている画像生成装置には、東芝eスタジオシリーズコントローラ（Ｔｏｓｈｉｂａ  ｅ−Ｓｔｕｄｉｏ  Ｓｅｒｉｅｓ  Ｃｏｎｔｒｏｌｌｅｒ）が含まれるが、それらに限定されない。画像生成装置は、画像生成装置の機能を制御するコントローラ１０４をさらに備える。
【００１７】
一実施形態では、ユーザは、適当な通信リンク１０８を介してコンピュータ又は文書データ装置１０６によって多機能周辺装置１０２にアクセスする。別の実施形態では、ユーザは、モバイル又はワイヤレス装置を介して多機能周辺装置にアクセスし、ＢｌｕｅＴｏｏｔｈ（商標）規格、８０２．１１（ｘ）及びその他の８０２．１１に準拠した装置のうちの少なくとも１つを使用して接続する。当業者によって理解されるように、多機能周辺装置とコンピュータはいずれも、本発明が効率的に機能するために相互に連続的にデータ通信を行う必要はない。多機能周辺装置と文書データ装置のいずれか一方又は両方は、断続的に相互に適当に通信し、バッチモードで情報を送受信する。
【００１８】
好ましくは、多機能周辺装置１０２は本発明の方法を利用するため適合した手段を適切に含む。当業者によって理解されるように、対象発明は、ハードウェア、たとえば、特定用途向け集積回路、又は、ソフトウェア、たとえば、当技術分野で知られているあらゆるプログラミング言語を用いて実施することができる。多機能周辺装置１０２は、コンピュータもしくは文書データ装置１０６、又は、多機能周辺装置１０２上で利用できるその他の入力手段を介して、デジタル画像を受信するため適合した通信手段を適切に含む。当業者は、コントローラ１０４のようなマイクロプロセッサ又はその他の制御装置が以下に記載する方法を使用して本発明を利用するため同様に適合していることを認めるであろう。
【００１９】
次に、図２及び３を参照すると、本発明の色変換方法が説明されている。ＣＭＹ画像をＣＭＹＫ画像へ変換する方法は、ステップ２０２から始まり、２個以上のグレー成分置換３次元ルックアップテーブル、すなわち、ルックアップテーブルＡ  ３０２及びルックアップテーブルＢ  ３０４が生成される。説明の目的のためとして、主題発明は２個のグレー成分置換ルックアップテーブルを使用するが、当業者は２個以上のテーブルが本発明の範囲を逸脱することなく利用され得ることを認めるであろう。ルックアップテーブルＡ  ３０２は、通常のルックアップテーブル、たとえば、所与の画像のハイライト部分におけるグレー成分置換が不足しているとして当業者に認識されるルックアップテーブルである。第２のルックアップテーブルであるルックアップテーブルＢ  ３０４は、ハイライトにおけるグレー成分置換を示す。当業者によって認められるように、明細書で使用されるハイライトは、より高い空間周波数を収容するデジタル画像の部分を意味する。
【００２０】
同様に当業者によって認められるように、テーブルＡ及びＢのようなルックアップテーブルは、従来型の黒生成曲線よりも柔軟性がある。図４は、従来型のグレー成分置換方法の従来型の黒生成曲線４０２と、本発明の高空間周波数のグレー成分置換方法の黒生成曲線４０４と、従来型と本発明のグレー成分置換方法の両方を使用して組み合わされた画像内のグレー成分置換の黒生成曲線４０６を例示する。実際の円錐形状は典型的に、黒生成を必要とする顔料混合を定義する非常に複雑な形状である。ルックアップテーブルＡ  ３０２及びＢ  ３０４は、「曖昧な」エッジを利用し、合成されたルックアップテーブル３０６に示された、２つの円錐形状の間の滑らかな併合を可能にする。当業者が認めるように、ルックアップテーブル内での円錐の使用は、例示の目的のためだけであり、その他のルックアップテーブルの形式も主題発明を逸脱することなく同様に使用され得る。
【００２１】
この方法はステップ２０４へ続き、画像が２個の別個の領域に分割される。この方法は、２個の画像のセグメントを生成するため、ニュートラルサーチアルゴリズム（ｎｅｕｔｒａｌ  ｓｅａｒｃｈ  ａｌｇｏｒｉｔｈｍ）と共に高周波数空間探索アルゴリズムを利用する。当業者によって認められるように、本発明によって利用される探索アルゴリズムは当技術分野で知られた適当な探索アルゴリズムである。領域１はハイライトの中性色調に高空間周波数を収容し、領域２は当技術分野で知られているグレー成分置換が適切に適用される画像の残りの部分を収容する。ステップ２０６において、領域１の画素位置を指定するメタデータマップが知られている手段を使用して生成される。ステップ２０８において、画像は、グレー成分置換のため必要な黒顔料の量を得るため、画素グループ単位でフィルタを用いて調べられ、それによって、Ｋチャンネルを生成する。ステップ２１０において、現在画素グループがメタデータマップ内に位置付けられるかどうかの判定が行われ、それが領域１内に存在するかどうかを表す。
【００２２】
現在画素グループが領域１内に存在しないとき、この方法は、先へ進み、ステップ２１２においてルックアップテーブルＢを選択する。黒顔料量は、ステップ２１４において同じＫチャンネル内のルックアップテーブルＢに書き込まれる。中性成分は、次に、当技術分野で知られたグレー成分置換方法を使用してステップ２２０においてＣＭＹ画像から除去される。たとえば、４％のシアン、６２％のマゼンタ、及び、８４％の黄として規定された色は、２％のシアン、６０％のマゼンタ、８２％の黄、及び、２％の黒として規定された色とカラーメトリックの点で等価である。当業者によって認められるように、中性成分の対応する量の黒顔料による置換は、色精度に悪影響を与えることなく高周波数の視感度を高める。ＣＭＹＫ画像は次に、同じＫチャンネルをＣＭＹ画像と合成することによりステップ２２２において生成される。
【００２３】
現在画素グループが領域１内に存在するとき、ルックアップテーブルＡがステップ２１６において選択される。ルックアップテーブルＡの選択に続いて、黒顔料量はステップ２１８において新しいＫチャンネル内のルックアップテーブルＡに書き込まれる。ＣＭＹ画像の中性成分は次にステップ２２０において除去される。ステップ２２０におけるＣＭＹ画像の中性成分の除去は当技術分野で知られたグレー成分置換アルゴリズムを使用して達成される。最終的なＣＭＹＫ変換画像は次にステップ２２２において新しいＫチャンネルとＣＭＹ画像を合成することにより出力される。当業者は、上記の方法の利用がより高価なカラーインクをより安価な黒インクで置換することを認めるであろう。
【００２４】
次に図５を参照すると、従来型の方法を使用するグレー成分置換と本発明を使用するグレー成分置換との間の比較が示されている。図５に示されるように、ピクチャ５０２は処理対象の画像の中心に位置付けられた高空間周波数エリア５０４を含む。当業者によって理解されるように、従来型のグレー成分置換方法を適用するとき、画像はピクチャ５０６へ変換される。当業者には明らかであるが、ピクチャ５０６の高空間周波数エリア５０８は著しく不明瞭である。これに対して、本発明の方法を適用するピクチャ５１２は、高空間周波数エリア５１４上でグレー成分置換を使用し、それによって、ハイライトエリア内のディテールの認識を高める。
【００２５】
次に図６を参照すると、黒生成を表す典型的な説明図が示されている。画像６０２は、画像のグレー成分の増加を意味する暗い方から明るい方への階調レベルの周波数の滑らかな増加を表現する。勾配曲線の表示６０４は黒から白まで変化する階調値を例示し、典型的なグレー成分置換が６０６に示されるように５０パーセントレベルで生じる。当業者は、従来型の黒生成を必要とする典型的な階調レベルの部分が５０パーセントから始まることに気付くであろう。当業者は、図６及び７の説明図が単なる例示の目的に過ぎず、本発明の応用を５０パーセントの階調だけに限定するものとして解釈されるべきでないことを理解するであろう。
【００２６】
５０パーセント階調で始まる従来型の黒生成のグレースケール表現は６０８に示されている。６１０では、黒生成のグレースケール表現が、表現６１０の右側のグレーエリアに示された高周波数成分を用いて表されている。上記の方法を表現６０２に適用した結果は６１２のように示され、新しい高周波数生成６１４は一番右寄りに示されている。当業者は、本発明を表現６０２に適用するとき、表現６０２の一番右寄りを取り囲むディテールの認識性が高まり、より鮮明な画像が見えるようにすることを認めるであろう。
【００２７】
図６の説明図は、図７に表された説明図を見るときに、よりよく理解される。次に図７を参照すると、低周波数の黒生成と高周波数の黒生成の比較を表す典型的な説明図が示されている。勾配曲線７０２及び７０４は、所与の画像の典型的な階調レベルを表す。曲線のグレースケール表現は７０６に示され、本発明による高空間周波数部分のグレー成分置換と組み合わされた５０パーセントレベルの従来型のグレー成分置換を説明する。このように、５０パーセントレベルの従来型の黒生成は７０８に示され、より高い周波数、たとえば、スケール７０８の右側のより明るい領域にはグレー成分置換がない。本発明の応用は合成されたグレースケール７１０に見ることができる。スケール７１０に表された高空間周波数グレー成分置換７１２の結果は、従来型のグレー成分方法が無視するエリアへのグレー成分置換の応用を説明する。
【００２８】
本発明は、ソースコード、オブジェクトコード、コード中間ソース、及び、（部分的にコンパイルされた形式のような）オブジェクトコードの形式、又は、本発明の実施で使用するため適したその他の形式のコンピュータプログラムにまで及ぶ。コンピュータプログラムは、適当にスタンドアローン型のアプリケーション、ソフトウェアコンポーネント、スクリプト、又は、他のアプリケーションへのプラグインである。本発明を組み込むコンピュータプログラムは、有利的には、たとえば、ＲＯＭもしくはＲＡＭのような記憶媒体、ＣＤ−ＲＯＭのような光学記録媒体、又は、フレキシブルディスクのような磁気記録媒体などの、コンピュータプログラムを伝達することができるあらゆるエンティティ又は装置である担体上に具現化される。その担体は、電気的もしくは光学的ケーブルによって、又は、無線もしくはその他の手段によって搬送される電気的又は光学的信号のような任意の伝送可能な担体である。コンピュータプログラムはサーバからインターネットを介して適切にダウンロードされる。コンピュータプログラムは集積回路に組み込むことも可能である。コンピュータに上記のような本発明の原理を実質的に実行させるコードを含むこのようなありとあらゆる実施形態は本発明の範囲に包含される。
【００２９】
本発明の好ましい一実施形態の上記の説明は、実例と解説の目的のため提示されている。網羅的であること、又は、本発明を開示された形式そのままに限定することは意図されていない。明らかな変更又は変形は上記の教示の観点から可能である。実施形態は本発明の原理の最良の実例及びその実際的なアプリケーションを示すために選択され記載され、それによって、当業者は、本発明を種々の実施形態で、ならびに、考慮された特定の使用に適するように様々な変更を加えて使用することが可能になる。このような変更及び変形のすべては、公平に、法律的に、公正に権利付与された範囲に応じて解釈される請求項に記載された事項によって決められるような本発明の範囲に含まれる。
【図面の簡単な説明】
【００３０】
【図１】本発明のシステムを説明するブロック図である。
【図２】本発明によるＣＭＹからＣＭＹＫへの変換プロセスを説明するフローチャートである。
【図３】本発明による３次元ルックアップテーブルを表す説明図である。
【図４】本発明によるグレー成分置換の黒生成曲線を表す説明図である。
【図５】本発明によるグレー成分置換の比較の説明図である。
【図６】黒生成を表す典型的な説明図である。
【図７】低周波数の黒生成と高周波数の黒生成の比較を表す典型的な説明図である。
【図１】
2006094524.tif 000003
【図２】
2006094524.tif 000004
【図３】
2006094524.tif 000005
【図４】
2006094524.tif 000006
【図５】
2006094524.tif 000007
【図６】
2006094524.tif 000008
【図７】
2006094524.tif 000009
【外国語明細書】
2006094524000001.pdf